(57)【要約】【課題】筆記部が後退することで筆記時の衝撃を緩和可能であって、且つ、筆記部が後退する荷重を任意に調整することが可能な筆記具及び筆記具に用いられるクッション機構を提供すること。【解決手段】筆記具１に設けられ、紙葉類に筆記する筆記体１１を支持するクッション機構２５を、円筒状に形成され、内周面に軸心方向に延設された溝部４１ｅを有する案内筒４１と、案内筒４１に回転可能に支持され、その一部に周方向に対して傾斜する傾斜面４２ｃが形成された案内部４２ｂを有する調整手段４２と、案内筒４１内に配置され、溝部４１ｅと係合し、且つ、端部が傾斜面４２ｃと当接する被案内部４３ｃを有する第１可動子４３と、案内筒４１内に第１可動子４３と対向して配置され、筆記体１１を支持する第２可動子４４と、案内筒４１に挿入され、第１可動子４３及び第２可動子４４に支持される付勢部材４６と、を備える構成とする。【選択図】      図１
2015136867.tif 000002
【特許請求の範囲】
【請求項１】
円筒状の外郭部材と、
前記外郭部材に収容される筆記体と、
円筒状に形成され、内周面に軸心方向に延設された溝部を有する案内筒、前記案内筒に回転可能、且つ、軸心方向に固定され、その一部に周方向に対して傾斜する傾斜面が形成された案内部を有するノック体、前記案内筒内に配置され、前記溝部と係合し、且つ、端部が傾斜面と当接する被案内部を有する第１可動子、前記案内筒内に前記第１可動子と対向して配置され、前記筆記体を支持する第２可動子、並びに、前記案内筒に挿入され、前記第１可動子及び前記第２可動子に支持される第１付勢部材を具備し、前記外郭部材内を軸心方向に移動可能なクッション機構と、
前記外郭部材内に設けられ、前記筆記体及び前記クッション機構を付勢する第２付勢部材と、
前記第２付勢部材によって付勢された前記筆記体及び前記クッション機構の移動を規制可能、且つ、前記筆記体及び前記クッション機構の移動の規制を解除可能な規制手段と、
を備えることを特徴とする筆記具。
【請求項２】
前記傾斜面は、所定の間隔で形成された複数の曲面部を備え、
前記被案内部は、前記傾斜面と当接する前記端部が前記曲面部と当接する曲面により形成されることを特徴とする請求項１に記載の筆記具。
【請求項３】
前記規制手段は、
前記外郭部材に設けられた窓部と、
前記案内筒に一体に設けられ、前記ノック体の押圧操作による移動することで、前記窓部から突出する凸部と、
前記窓部から突出した凸部と係合する係合手段と、
を具備することを特徴とする請求項１に記載の筆記具。
【請求項４】
前記筆記体は、ボールペンのレフィル又はシャープペンシルのレフィルであることを特徴とする請求項１に記載の筆記具。
【請求項５】
円筒状の外郭部材と、
前記外郭部材に収容される筆記体と、
円筒状に形成され、内周面に軸心方向に延設された溝部を有する案内筒、前記案内筒に回転可能に支持され、その一部に周方向に対して傾斜する傾斜面が形成された案内部を有する調整手段、前記案内筒内に配置され、前記溝部と係合し、且つ、端部が傾斜面と当接する被案内部を有する第１可動子、前記案内筒内に前記第１可動子と対向して配置され、前記筆記体を支持する第２可動子、並びに、前記案内筒に挿入され、前記第１可動子及び前記第２可動子に支持される付勢部材を具備するクッション機構と、
を備えることを特徴とする筆記具。
【請求項６】
前記傾斜面は、所定の間隔で形成された複数の曲面部を備え、
前記被案内部は、前記傾斜面と当接する前記端部が前記曲面部と当接する曲面により形成されることを特徴とする請求項５に記載の筆記具。
【請求項７】
筆記具に設けられ、紙葉類に筆記する筆記体を支持するクッション機構であって、
円筒状に形成され、内周面に軸心方向に延設された溝部を有する案内筒と、
前記案内筒に回転可能に支持され、その一部に周方向に対して傾斜する傾斜面が形成された案内部を有する調整手段と、
前記案内筒内に配置され、前記溝部と係合し、且つ、端部が傾斜面と当接する被案内部を有する第１可動子と、
前記案内筒内に前記第１可動子と対向して配置され、前記筆記体を支持する第２可動子と、
前記案内筒に挿入され、前記第１可動子及び前記第２可動子に支持される付勢部材と、を備えることを特徴とするクッション機構。
【請求項８】
前記傾斜面は、所定の間隔で形成された複数の曲面部を備え、
前記被案内部は、前記傾斜面と当接する前記端部が前記曲面部と当接する曲面により形成されることを特徴とする請求項７に記載のクッション機構。
【発明の詳細な説明】
【技術分野】
【０００１】
本発明は、シャープペンシルやボールペン等の筆記具及び筆記具に用いられるクッション機構に関する。
【背景技術】
【０００２】
現在、筆記具として、外郭部材内に収納されたレフィルを往復動させることで、先端から筆記部であるチップが出没するボールペンや、筆記部から芯体を突出させるシャープペンシルが知られている。
【０００３】
このような筆記具は、筆記部を紙葉類に接触させて所定の筆圧を筆記部に加えた状態で外郭部材を移動させることで、紙葉類にインキや粉体を付着させて、紙葉類上に筆記を行う。筆記具は、このように筆圧を加えて筆記を行うことから、筆記時に使用者の手に衝撃が加わる。このため、長時間に渡る筆記においては、使用者の手指に負担がかかる、という問題がある。
【０００４】
そこで、コイルスプリングやゴム部材等の弾性体を設けることで、筆記時に筆記部に加わる荷重によって筆記部を後退させ、筆記時の衝撃を緩和し、筆圧を軽減する筆記具が知られている（例えば、特許文献１参照）。
【先行技術文献】
【特許文献】
【０００５】
【特許文献１】特開昭５８−１８１６９７号公報
【発明の概要】
【発明が解決しようとする課題】
【０００６】
上述した筆記具では、以下の問題があった。即ち、筆圧には個人差があり、また、疲労の度合いにも個人差がある。このため、特許文献１に記載される弾性体を設ける筆記具では、使用者によっては、筆圧や疲労の低減の効果が異なる。また、弾性体が使用者に適した弾性力でない場合、筆記部に加わる荷重では、適切に筆記部が後退せず、使用者によっては、疲労が増加する虞や、筆記具の使用性が低下する虞もある。
【０００７】
予め、使用者の筆圧に適した弾性体を用いることも考えられるが、使用者の筆圧に適切な弾性体を選別して筆記具に装着させる作業を使用者毎に行うのは困難である。
【０００８】
そこで、筆記部が後退することで筆記時の衝撃を緩和可能であって、且つ、筆記部が後退する荷重を任意に調整することが可能な筆記具及び筆記具に用いられるクッション機構を提供することを目的とする。
【課題を解決するための手段】
【０００９】
前記課題を解決し目的を達成するために、本発明の筆記具及びクッション機構は次のように構成されている。
【００１０】
本発明の一態様の筆記具は、円筒状の外郭部材と、前記外郭部材に収容される筆記体と、円筒状に形成され、内周面に軸心方向に延設された溝部を有する案内筒、前記案内筒に回転可能に支持され、その一部に周方向に対して傾斜する傾斜面が形成された案内部を有する調整手段、前記案内筒内に配置され、前記溝部と係合し、且つ、端部が傾斜面と当接する被案内部を有する第１可動子、前記案内筒内に前記第１可動子と対向して配置され、前記筆記体を支持する第２可動子、並びに、前記案内筒に挿入され、前記第１可動子及び前記第２可動子に支持される付勢部材を具備するクッション機構と、を備える。
【００１１】
本発明の一態様の筆記具は、円筒状の外郭部材と、前記外郭部材に収容される筆記体と、円筒状に形成され、内周面に軸心方向に延設された溝部を有する案内筒、前記案内筒に回転可能、且つ、軸心方向に固定され、その一部に周方向に対して傾斜する傾斜面が形成された案内部を有するノック体、前記案内筒内に配置され、前記溝部と係合し、且つ、端部が傾斜面と当接する被案内部を有する第１可動子、前記案内筒内に前記第１可動子と対向して配置され、前記筆記体を支持する第２可動子、並びに、前記案内筒に挿入され、前記第１可動子及び前記第２可動子に支持される第１付勢部材を具備し、前記外郭部材内を軸心方向に移動可能なクッション機構と、前記外郭部材内に設けられ、前記筆記体及び前記クッション機構を付勢する第２付勢部材と、前記第２付勢部材によって付勢された前記筆記体及び前記クッション機構の移動を規制可能、且つ、前記筆記体及び前記クッション機構の移動の規制を解除可能な規制手段と、を備える。
【００１２】
本発明の一態様のクッション機構は、筆記具に設けられ、紙葉類に筆記する筆記体を支持するクッション機構であって、円筒状に形成され、内周面に軸心方向に延設された溝部を有する案内筒と、前記案内筒に回転可能に支持され、その一部に周方向に対して傾斜する傾斜面が形成された案内部を有する調整手段と、前記案内筒内に配置され、前記溝部と係合し、且つ、端部が傾斜面と当接する被案内部を有する第１可動子と、前記案内筒内に前記第１可動子と対向して配置され、前記筆記体を支持する第２可動子と、前記案内筒に挿入され、前記第１可動子及び前記第２可動子に支持される付勢部材と、を備える。
【発明の効果】
【００１３】
本発明によれば、筆記部が後退することで筆記時の衝撃を緩和可能であって、且つ、筆記部が後退する荷重を任意に調整することが可能な筆記具を提供することが可能となる。
【図面の簡単な説明】
【００１４】
【図１】本発明の一実施形態に係る筆記具の構成を示す断面図。
【図２】同筆記具の構成を示す断面図。
【図３】同筆記具の要部構成を拡大して示す断面図。
【図４】同筆記具の要部構成を拡大して示す断面図。
【図５】同筆記具の要部構成を拡大して示す側面図。
【図６】同筆記具の使用時の要部構成の動作を示す断面図。
【図７】同筆記具の要部構成を展開して示す説明図。
【発明を実施するための形態】
【００１５】
（第１の実施形態）  
以下、本発明の第１の実施形態に係る筆記具１を、図１乃至図７を用いて説明する。  
図１は本発明の一実施形態に係る筆記具１の構成を示す断面図、図２は筆記具１の構成であって、使用時の状態を示す断面図、図３は筆記具１の要部構成、具体的には、案内筒４１の構成を拡大して示す断面図、図４は筆記具１に用いられるノック体４２の構成を示す断面図、図５は筆記具１に用いられる第１可動子４３の構成を示す断面図、図６は筆記具１のクッション機構２５の動作を示す断面図、図７はノック体４２の要部構成、具体的には案内部４２ｂの構成を平面に展開して示す説明図である。
【００１６】
筆記具１は、例えば、ノック式のボールペンやシャープペンシル等である。本実施形態においては、図１に示すように、ノック式のボールペンを用いて筆記具１を説明する。筆記具１は、円筒状に形成された外郭部材１０と、筆記体１１と、駆動機構１２と、を備えている。
【００１７】
外郭部材１０は、軸筒２１と、大先２２と、グリッパー２３と、クッション機構２５を有するクリップ機構２４と、を備えている。外郭部材１０は、筆記体１１を収納可能、且つ、収容する駆動機構１２により、筆記体１１の先端を突出及び没入可能に形成されている。
【００１８】
軸筒２１は、樹脂材料により形成され、その内部に筆記体１１及び駆動機構１２の一部を収納する。軸筒２１は、両端が開口する円筒状に形成されている。軸筒２１は、一方の端部に設けられ、駆動機構１２の後述するノック体４２を往復動可能に挿通させる開口部２１ａと、他方の端部に設けられ、大先２２と締結される雌螺子部２１ｂと、を備えている。
【００１９】
また、軸筒２１は、その内周面に設けられ、駆動機構１２の位置決めをするとともに、回転方向の移動を規制する溝部２１ｃと、駆動機構１２の一部を外部に露出する窓部２１ｄと、を備えている。溝部２１ｃは、軸心方向に沿って設けられ、少なくとも駆動機構１２の移動距離以上の長さに形成されている。
【００２０】
窓部２１ｄは、例えば、軸筒２１の略中央部の外周面の一部に形成された、矩形状の開口である。窓部２１ｄは、その長手方向が軸筒２１の軸心方向に沿って形成されている。窓部２１ｄは、その長手方向の長さが、駆動機構１２の後述する案内筒４１の移動量よりも長く形成されている。
【００２１】
大先２２は、その一端側が他端側よりも先細形状に形成され、両端が開口する筒状に形成されている。なお、大先２２の一端側は、筆記具１の先端を形成する。
【００２２】
具体的に説明すると、大先２２は、先端部２２ａと、グリッパー２３を挿入し、且つ、支持可能に形成された挿入部２２ｂと、を備えている。また、大先２２は、先端部２２ａの端部に形成された小孔２２ｃと、挿入部２２ｂの開口に形成され、軸筒２１の雌螺子部２１ｂと螺合する雄螺子部２２ｄと、を備えている。また、大先２２は、その内周面に、駆動機構１２の後述する第２付勢部材４７を支持する座部２２ｅが形成されている。
【００２３】
先端部２２ａは、挿入部２２ｂ側からその先端に向かって漸次縮径する曲面によって略円錐状に形成され、その先端に小孔２２ｃが形成される。挿入部２２ｂは、その外径が、隣接する先端部２２ａの外径よりも小径に形成されるとともに、グリッパー２３の内径と略同一又は若干小径に形成されている。小孔２２ｃは、筆記体１１の後述する筆記部３２の外径と略同一径又は若干大径となる内径に形成されている。
【００２４】
グリッパー２３は、例えば、シリコンゴム等のエラストマー樹脂により形成されている。グリッパー２３は、例えば、筆記具１の使用者が当該筆記具１を握った際に、使用者の指とフィットし、且つ、適度な抵抗（摩擦力）を発生させて滑りを防止可能に形成されている。
【００２５】
クリップ機構２４は、軸筒２１の一端側の外周面の一部に設けられた支持部２６と、支持部２６に固定されるトーションバネ２７と、トーションバネ２７が固定され、支持部２６に支持されるクリップ２８と、を備えている。
【００２６】
支持部２６は、軸筒２１に一体に形成され、トーションバネ２７の一端を固定可能に形成されている。トーションバネ２７は、クリップ２８の一方の端部を、軸筒２１に向かって付勢可能に形成されている。トーションバネ２７は、クリップ２８の他方の端部側の一部に固定される。
【００２７】
クリップ２８は、その一方の端部が軸筒２１に対して近接及び離間可能に支持部２６に支持されている。具体的には、クリップ２８は、他方の端部側にトーションバネ２７の他端を固定可能に形成されている。クリップ２８は、一方の端部側の軸筒２１と対向する部位に形成された突起部２８ａと、その他方の端部側に形成され、回転軸を構成するトーションバネ２７の取付部２８ｂと、その他方の端部に設けられた操作部２８ｃと、を備えている。
【００２８】
クリップ２８は、トーションバネ２７によって付勢されることで、その突起部２８ａが軸筒２１に所定の押圧力で当接し、操作部２８ｃが使用者によって押圧操作されると、取付部２８ｂ周辺を回転中心として、先端が軸筒２１から離間する方向に回動する。
【００２９】
突起部２８ａは、軸筒２１の窓部２１ｄの、軸筒２１の軸心方向の略中央部に配置される。突起部２８ａは、その幅が窓部２１ｄの開口幅よりも長く形成されている。換言すると、突起部２８ａは、軸筒２１の軸心方向に直交する方向の長さが、窓部２１ｄの軸筒２１の軸心方向に直交する方向の長さよりも長く形成されている。
【００３０】
突起部２８ａは、例えば、大先２２側が平面により形成されるとともに、ノック体４２側が曲面により形成されている。この突起部２８ａは、軸筒２１の窓部２１ｄから突出する駆動機構１２の後述する第１凸部４１ｇと係合可能に形成された係合手段である。
【００３１】
筆記体１１は、所謂ボールペンのリフィルである。具体的には、筆記体１１は、インキ管３１と、筆記部３２と、を備えている。インキ管３１は、その内部に水性インキ、油性インキ又はゲルインキ等を収容する。また、インキ管３１は、その中途部に、外表面から突出し、第２付勢部材４７を支持する座部３１ａを備えている。筆記部３２は、インキ管３１の一方の端部に接続され、インキを用紙等の筆記を行うための紙葉類に塗布可能に形成されている。筆記部３２は、その先端にボールを回転可能に支持するチップである。
【００３２】
駆動機構１２は、円筒状に形成された案内筒４１と、案内筒４１の一方の端部に設けられたノック体４２と、案内筒４１の一方の端部側に設けられた第１可動子４３と、案内筒４１の他方の端部側に設けられた第２可動子４４と、第２可動子４４と当接する栓体４５と、第１可動子４３及び第２可動子４４間に設けられた第１付勢部材４６と、大先２２及びインキ管３１の座部２２ｅ，３１ａ間に設けられた第２付勢部材４７と、を備えている。駆動機構１２は、案内筒４１、ノック体４２、第１可動子４３、第２可動子４４及び第１付勢部材４６によってクッション機構２５が構成される。
【００３３】
案内筒４１は、その外周形状が軸筒２１の内周形状と略同一に形成されている。具体的には、図３に示すように、案内筒４１は、その外周面に、軸筒２１の溝部２１ｃと係合する案内突起部４１ａと、その一方の端部の内周面に円環状に突出する第１環状突起４１ｂと、他方の端部に突出して設けられ、窓部２１ｄから一部が突出する凸部４１ｃと、他方の端部の内周面に円環状に突出する第２環状突起４１ｄと、を備えている。また、案内筒４１は、その一方の端部側の内周面に、軸心方向に沿って延設された、第１可動子４３の一部と摺接する溝部４１ｅが形成されている。案内筒４１は、その一方の端部側から、その内部に第１可動子４３及び第２可動子４４を挿入可能に形成されている。
【００３４】
案内突起部４１ａは、軸心方向に延設されている。案内突起部４１ａは、軸筒２１の溝部２１ｃと係合することで、案内筒４１の回転方向の移動を規制するとともに、案内筒４１の軸心方向の移動を案内する。
【００３５】
第１環状突起４１ｂは、ノック体４２と嵌合することで、ノック体４２を回動可能、且つ、軸心方向に固定可能に形成されている。凸部４１ｃは、案内筒４１の端部から軸心方向に沿って突出するとともに、端部の一部が窓部２１ｄから突出して形成され、クリップ２８の突起部２８ａと、軸心方向で係合可能に形成されている。また、凸部４１ｃは、軸筒２１の内部に位置する一部が栓体４５と軸心方向及び径方向で係合可能に形成されている。
【００３６】
具体的には、図３に示すように、凸部４１ｃは、案内筒４１の端部から突出する軸部４１ｆと、軸部４１ｆの端部の外面側に突出して形成され、窓部２１ｄから突出してクリップ２８の突起部２８ａと係合する第１凸部４１ｇと、その内面側に突出して形成され、栓体４５と係合する第２凸部４１ｈと、を備えている。
【００３７】
第２環状突起４１ｄの内径は、第２可動子４４の外径よりも小径に形成され、第２可動子４４と当接することで、第２可動子４４が案内筒４１から抜けることを防止可能に形成されている。
【００３８】
案内筒４１は、案内突起部４１ａが軸筒２１の溝部２１ｃと係合することで、軸筒２１の溝部２１ｃに沿って軸筒２１の軸心方向に移動可能に形成されている。また、案内筒４１は、案内突起部４１ａが溝部２１ｃと干渉することで、軸筒２１の軸心に対して回転する方向に固定される。
【００３９】
ノック体４２は、中空の円筒状に形成され、その一方の端部が軸筒２１の開口部２１ａから外部に突出するとともに、その他方の端部が案内筒４１に回転可能に支持される。図４及び図７に示すように、ノック体４２は、他方の端部側に、案内筒４１の端面と嵌合し、軸心方向の双方にそれぞれ当接する一対の鍔部４２ａと、他方の端部に設けられた案内部４２ｂと、を備えている。
【００４０】
一対の鍔部４２ａは、対向する間隙に案内筒４１の第１環状突起４１ｂが嵌合され、第１環状突起４１ｂと当接することで、案内筒４１の軸心方向で案内筒４１にノック体４２を固定する。換言すると、一対の鍔部４２ａは、ノック体４２の軸心方向の移動を案内筒４１に伝達可能、且つ、案内筒４１の軸心方向の移動をノック体４２に伝達可能に形成されている。
【００４１】
案内部４２ｂは、ノック体４２の周方向の一部、例えば、ノック体４２の周方向の２７０°の範囲に渡って設けられた切欠部である。具体的には、図７に案内部４２ｂを展開して示すように、案内部４２ｂは、その端部に、周方向に対して傾斜する傾斜面４２ｃが形成された切欠である。案内部４２ｂは、傾斜面４２ｃが第１可動子４３と当接することで、第１可動子４３の軸心方向の位置を調整可能に形成されている。
【００４２】
傾斜面４２ｃは、平面状に形成されるとともに、所定の間隔（角度）で、凹部である複数の曲面部４２ｄが形成されている。この曲面部４２ｄは、その曲率半径が、第１可動子４３の後述する被案内部４３ｃの端部に形成された曲面部４３ｄの曲率半径と略同一に形成されている。傾斜面４２ｃは、例えば、３０度間隔で、９つの曲面部４２ｄが形成されている。このようなノック体４２は、案内筒４１を軸心方向に操作可能な操作手段であって、且つ、回転することで第１可動子４３の位置を調整可能に形成された調整手段である。
【００４３】
図５に示すように、第１可動子４３は、ノック体４２の内部に挿入可能に形成された軸部４３ａと、軸部４３ａの端部に設けられ、第２付勢部材４７を支持する座部４３ｂと、軸部４３ａ及び座部４３ｂの外周面に設けられ、軸心方向に沿って延設された被案内部４３ｃと、を備えている。
【００４４】
軸部４３ａは、その一部がノック体４２内に挿入され、且つ、ノック体４２に対して軸心方向に移動することで、第１可動子４３の移動を案内する。座部４３ｂは、第１付勢部材４６を支持可能な座面を形成する。
【００４５】
被案内部４３ｃは、軸心方向に延設されたキー状の突起であり、案内筒４１の溝部４１ｅとその外面とが摺接可能に形成されている。被案内部４３ｃは、軸部４３ａ側の端部の外面が曲面部４２ｄと略同一の曲率半径で形成された曲面部（端部）４３ｄを備えている。
【００４６】
第２可動子４４は、第２環状突起４１ｄ側の案内筒４１の内部に、軸心方向に移動可能に収納される。第２可動子４４は、第２環状突起４１ｄと対向する端部に、その外周面より小径に形成された、案内筒４１の端部から突出する軸部４４ａと、第１可動子４３と対向して設けられ、第１付勢部材４６を支持可能な座部４４ｂと、を備えている。
【００４７】
第２可動子４４は、案内筒４１の第２環状突起４１ｄと当接することで、第１付勢部材４６による付勢方向の移動が規制される。具体的には、第２可動子４４は、案内筒４１内を軸心に沿って移動可能、且つ、案内筒４１の第２環状突起４１ｄと干渉することで、案内筒４１から第１付勢部材４６による付勢方向に脱離することが防止可能に形成されている。軸部４４ａは、その端部が栓体４５と当接可能に形成されている。第２可動子４４は、軸部４４ａ及び栓体４５を介して、筆記体１１を支持可能に形成されている。
【００４８】
栓体４５は、その一方の端部が第２可動子４４の軸部４４ａと当接可するとともに、他方の端部がインキ管３１の端部と当接可能に形成されている。例えば、栓体４５は、他方の端部が円錐台形状に窪むことで、インキ管３１の芯出が可能、且つ、インキ管３１を支持可能に形成されている。また、栓体４５は、その外周面の一部に、案内筒４１の凸部４１ｃの第２凸部４１ｈと係合することで、軸心方向の案内筒４１の移動時に、より具体的には、案内筒４１がノック体４２側に移動するときに係合する突起４５ａを備えている。
【００４９】
第１付勢部材４６は、コイルばねであり、第１可動子４３をノック体４２に付勢可能、且つ、第２可動子４４を第２環状突起４１ｄ及び栓体４５に付勢可能に形成されている。
【００５０】
第２付勢部材４７は、コイルばねであり、大先２２の座部２２ｅ及びインキ管３１の座部３１ａ間に介在され、インキ管３１を栓体４５に向かって付勢可能に形成されている。
【００５１】
クッション機構２５は、案内筒４１、第１可動子４３、第２可動子４４及び第１付勢部材４６によって、筆記時に筆記部３２からインキ管３１及び栓体４５を介して第２可動子４４に加わる衝撃を、第１付勢部材４６の圧縮によって吸収可能に形成されている。
【００５２】
また、クッション機構２５は、ノック体４２を回転させることで、第１可動子４３の軸心方向の位置を可変させ、図６に示すように、第１可動子４３及び第２可動子の間隔を調整し、第１可動子４３及び第２可動子により圧縮される第１付勢部材４６の圧縮量を調整可能に形成されている。クッション機構２５は、この第１付勢部材４６の圧縮量を調整することで、筆記部３２に印加される荷重（筆圧）によって、第２可動子４４が移動する荷重（設定荷重）を調整可能に形成されている。
【００５３】
このような駆動機構１２は、案内筒４１の第１環状突起４１ｂから第２環状突起４１ｄに向かって、ノック体４２の一部、第１可動子４３、第１付勢部材４６及び第２可動子４４の一部が順次収納される。また、駆動機構１２は、案内筒４１の第１凸部４１ｇによって、外郭部材１０の軸筒２１の窓部２１ｄ、クリップ２８の突起部２８ａとともに、第２付勢部材４７の付勢による筆記体１１及び駆動機構１２の移動を規制可能、且つ、規制を解除可能な規制手段を構成する。
【００５４】
次に、図１、図２、図６及び図７を用いて、このように構成された筆記具１の使用方法について説明する。なお、本説明において、筆記具１の大先２２側を先端側とし、筆記具１のノック体４２側を後端側として、以下説明する。
【００５５】
まず、筆記具１を使用しない状態においては、図１に示すように、第２付勢部材４７の付勢により、駆動機構１２が後端に移動しており、筆記部３２は、大先２２内に収納される。この状態で使用者が、第２付勢部材４７の付勢方向に抗って、ノック体４２を押圧操作すると、ノック体４２は、一部が軸筒２１内に挿入される。
【００５６】
このノック体４２の移動により、案内筒４１は、軸筒２１の溝部２１ｃに沿って軸心方向に移動する。この案内筒４１の移動により、第１凸部４１ｇがクリップ２８の突起部２８ａと接触する。さらに案内筒４１が移動し、第１凸部４１ｇが突起部２８ａを押し上げると、突起部２８ａが第１凸部４１ｇを乗り上げるとともに、回動し、且つ、第２可動子４４が栓体４５を押圧することで、栓体４５及び筆記体１１を第２付勢部材４７に抗って移動させる。
【００５７】
次に、使用者がノック体４２の押圧操作を解除すると、第２付勢部材４７の付勢によって、筆記体１１、並びに、駆動機構１２の栓体４５、第２可動子４４、第１付勢部材４６、第１可動子４３、案内筒４１及びノック体４２が付勢される。このとき、窓部２１ｄから突出する第１凸部４１ｇがクリップ２８の突起部２８ａと当接し、軸心方向に係合することで、第２付勢部材４７の付勢による、筆記体１１、駆動機構１２の栓体４５、第２可動子４４、第１付勢部材４６、第１可動子４３、案内筒４１及びノック体４２の移動が規制される。これにより、筆記具１は、大先２２の小孔２２ｃから筆記部３２が突出し、当該状態が維持される。
【００５８】
この状態で、使用者が筆記具１を握り、紙体等の紙葉類に筆記部３２の先端のボールを当接させ、任意の筆運び方向に筆記具１を移動させることで、筆運び方向と相対する筆記部３２の外周面の一部が小孔２２ｃの内周面の一部と当接し、筆記部３２が小孔２２ｃに支持される。このため、筆記部３２は、所定の力で紙葉類に当接し、ボールが回転することで、紙葉類と摺動し、当該回転によりボールの表面に付着して排出されたインキ管３１内のインキが紙葉類上に塗布される。
【００５９】
このとき、使用者は、筆記のために筆記具１を紙葉類に向かって所定の力で押圧する。このため、筆記部３２の先端には、筆圧による圧力（荷重）が印加されることから、筆記部３２の没入方向にインキ管３１が押圧され、インキ管３１によって栓体４５が押圧される。筆記体１１によって押圧された栓体４５は、第２可動子４４を押圧する。
【００６０】
第２可動子４４を押圧する圧力が第１付勢部材４６の弾性力を上回ると、第２可動子４４は、第１付勢部材４６を圧縮して案内筒４１内を第１可動子４３に近接する方向に移動する。この第２可動子４４の移動により、筆記部３２（筆記体１１）が没入方向に移動し、筆記部３２に加わる筆圧が軽減されるとともに、筆記時の衝撃が緩和される。
【００６１】
次に、使用者は、筆記の終了後、操作部２８ｃを押圧し、クリップ２８を回動させる。クリップ２８が回動することで、突起部２８ａが軸筒２１から離間し、突起部２８ａと第１凸部４１ｇの係合が解除される。これにより、第２付勢部材４７の付勢によって、筆記体１１、栓体４５、第２可動子４４、第１付勢部材４６、第１可動子４３、案内筒４１及びノック体４２が後端側に移動し、筆記部３２が大先２２内に没入する。
【００６２】
このように構成された筆記具１によれば、クッション機構２５の第２可動子４４及び第１付勢部材４６によって、筆記時に筆記部３２に加わる筆圧を低減し、筆記時の衝撃を緩和することが可能となる。
【００６３】
また、クッション機構２５は、ノック体４２の案内部４２ｂに傾斜面４２ｃを有し、且つ、被案内部４３ｃは、軸心方向に延設された案内筒４１の溝部４１ｅと係合することで回転方向の移動が規制される構成である。このため、ノック体４２を回動させることで、被案内部４３ｃが傾斜面４２ｃのいずれかの任意の位置に移動し、第１可動子４３が軸心方向に移動する。この第１可動子４３の移動によって、図６に示すように、第１可動子４３及び第２可動子４４の間隙の距離を調整することが可能となる。
【００６４】
クッション機構２５は、第１可動子４３及び第２可動子４４の間隙を可変させることで、第１付勢部材４６が第１可動子４３及び第２可動子４４により圧縮される設定荷重が調整可能となり、結果、第１付勢部材４６の弾性力を調整することが可能となる。これにより、筆記部３２に加わる圧力、換言すると、筆記時に筆記体１１に加わる筆圧によって第２可動子４４が移動する荷重を調整することが可能となる。
【００６５】
即ち、使用者が、第１付勢部材４６の弾性力を任意に設定可能となることで、使用者によって筆記部３２に加わる筆圧が異なる場合であっても、筆記部３２が後退する圧力を、使用者の好ましい設定とすることができる。このように、筆記部３２が後退する荷重を、ノック体４２の回動によって任意に調整することを可能とすることで、使用者毎に適した弾性力の第１付勢部材４６を交換する必要なく、容易に、好ましい弾性力の第１付勢部材４６に調整することが可能となる。
【００６６】
また、案内部４２ｂは、傾斜面４２ｃに複数の曲面部４２ｄを設けることで、ノック体４２の回動時に、被案内部４３ｃの曲面部４３ｄ端部が、傾斜面４２ｃの曲面部４２ｄを乗り上げて、隣合う曲面部４２ｄに移動する。この被案内部４３ｃが曲面部４２ｄ間を移動するときに、クリック感が発生し、良好な操作感を得ることが可能となる。
【００６７】
また、図７に示すように、傾斜面４２ｃ及び被案内部４３ｃは、曲面部４２ｄ、４３ｄが当接する構成であることから、面によって傾斜面４２ｃ及び被案内部４３ｃが当接することで、軸心方向の力が傾斜面４２ｃによってノック体４２が回動する方向の力に変換されることが防止可能となる。これにより、筆記時に、被案内部４３ｃが傾斜面４２ｃに沿って移動することを防止可能、換言すると、第１付勢部材４６の設定が変更されることを防止可能となる。
【００６８】
上述したように、本発明の一実施形態に係る筆記具１によれば、ノック体４２及び第１可動子４３によって第１付勢部材４６が圧縮される設定荷重を調整し、第１付勢部材４６の弾性力を可変することが可能となり、筆記部３２が後退する荷重を任意に調整することが可能となる。これにより、使用者によって筆記部３２に加わる荷重が異なっても、使用者に適した設定荷重で、筆記部３２を後退させることが可能となる。
【００６９】
なお、本発明は前記実施の形態に限定されるものではない。例えば、上述した例では、筆記具１の筆記体１１は、ボールペンのレフィルである構成を説明したがこれに限定されず、筆記体１１は、芯体を突出されて筆記するシャープペン機構（シャープペンシルのレフィル）であってもよい。筆記具１は、シャープペン機構を筆記体１１に用いても、同様の機能及び効果を有することが可能となる。また、クッション機構２５によって筆記時の衝撃及び筆圧が緩和されることから、シャープペン機構を筆記体１１に用いることで、シャープペン機構に用いられる芯体に加わる荷重が低減し、芯体が折れる所謂芯折れが防止可能となる。
【００７０】
また、上述した例では、筆記具１は、駆動機構１２の案内筒４１の第１凸部４１ｇ及びクリップ２８の係合手段である突起部２８ａが係合することで、第２付勢部材４７の付勢による筆記体１１及び駆動機構１２の移動を規制可能な規制手段の構成を説明したがこれに限定されない。例えば、規制手段の係合手段は、窓部２１ｄの端面により構成し、使用者が第１凸部４１ｇを軸筒２１内に押圧することで、第１凸部４１ｇと係合手段との係合を解除し、第２付勢部材４７による筆記体１１及び駆動機構１２の移動の規制を解除する構成であってもよい。また、筆記体１１及び駆動機構１２の移動を規制可能であれば、規制手段の構成は適宜設定可能である。
【００７１】
また、上述した例では、ノック式の筆記具１に後退するクッション機構２５を設ける構成を説明したが、これに限定されず、例えば、非ノック式の筆記具や、複数の筆記体１１を用いる筆記具に、クッション機構２５を設ける構成であってもよい。非ノック式の筆記具にクッション機構２５を用いる場合には、ノック体４２ではなく、回動することで、第１可動子４３の位置を調整する案内部４２ｂのみを有する例えば軸状の調整手段であればよい。また、筆記体１１を栓体４５によって支持する構成を説明したがこれに限定されず、第２可動子４４により筆記体１１を支持する構成であってもよい。
【００７２】
また、上述した例では、筆記具１は、グリッパー２３を有する構成を説明したがこれに限定されず、例えば、大先２２の挿入部２２ｂをグリッパー２３と同等の外形とし、グリッパー２３を有さない構成であってもよい。この他、本発明の要旨を逸脱しない範囲で種々変形実施可能である。
【符号の説明】
【００７３】
１…筆記具、１０…外郭部材、１１…筆記体（レフィル）、１２…駆動機構、２１…軸筒、２１ｄ…窓部、２２…大先、２３…グリッパー、２４…クリップ機構、２５…クッション機構、２６…支持部、２７…トーションバネ、２８…クリップ（規制手段）、２８ａ…突起部（係合手段）、２８ｃ…操作部、３１…インキ管、３１ａ…座部、３２…筆記部、４１…案内筒、４１ｅ…溝部、４１ｇ…第１凸部（規制手段）、４２…ノック体（調整手段）、４３…第１可動子、４４…第２可動子、４５…栓体、４６…第１付勢部材、４７…第２付勢部材。
【図１】
2015136867.tif 000003
【図２】
2015136867.tif 000004
【図３】
2015136867.tif 000005
【図４】
2015136867.tif 000006
【図５】
2015136867.tif 000007
【図６】
2015136867.tif 000008
【図７】
2015136867.tif 000009